(57)【要約】【課題】利用者に手間をかけさせずに、かつ、利用明細書等の電子ドキュメントとともに利用者に応じた情報を提供する。【解決手段】配信リストデータ２１を取り込む配信リスト取込部１１と、インデックスデータ２２を参照し、帳票データベース２３の中から配信すべき帳票データを検索する帳票データ検索部１２と、ＵＲＬ情報を帳票データに貼り付けるＵＲＬ情報付与部１３と、広告情報を帳票データに差し込む広告情報付与部１４と、クーポン情報を帳票データ、あるいは広告情報に組み込むクーポン情報付与部１５と、帳票データを含む電子ドキュメントを暗号化する暗号化部１６と、暗号化部１６にて暗号化された電子ドキュメントが添付された電子メールを作成し、作成した電子メールを帳票データの配信先となる端末に配信するメール配信部１７とを設ける。【選択図】  図１
2004213055.tif 000002
【特許請求の範囲】
【請求項１】
通信網に接続可能な端末に前記通信網を介して通知データを含む電子ドキュメントを配信する電子ドキュメント配信システムであって、
前記通知データに、該通知データの通知先に応じて設定された、情報画面へのアクセス情報、広告情報及びクーポン情報のうち少なくとも１つを付与することにより前記電子ドキュメントを作成し、作成した電子ドキュメントを暗号化し、暗号化した電子ドキュメントを、該電子ドキュメントに含まれる通知データの通知先に電子メールにて配信することを特徴とする電子ドキュメント配信システム。
【請求項２】
請求項１に記載の電子ドキュメント配信システムにおいて、
前記電子ドキュメントは、ＰＤＦ形式の電子ドキュメントであることを特徴とする電子ドキュメント配信システム。
【請求項３】
請求項１または請求項２に記載の電子ドキュメント配信システムにおいて、
前記通知データを、前記通知データが登録されたデータベースから、当該通知データの通知先毎に検索する帳票データ検索手段と、
前記帳票データ検索手段にて検索された通知データに、該通知データの通知先に応じて前記情報画面へのアクセス情報が設定された場合に該アクセス情報を付与するアクセス情報付与手段と、
前記帳票データ検索手段にて検索された通知データに、該通知データの通知先に応じて前記広告情報が設定された場合に該広告情報を付与する広告情報付与手段と、
前記帳票データ検索手段にて検索された通知データまたは前記広告情報付与手段にて前記通知データに付与された広告情報に、当該通知データの通知先に応じて前記クーポン情報が設定された場合に該クーポン情報を付与するクーポン情報付与手段と、
前記通知データに、前記アクセス情報、前記広告情報及び前記クーポン情報のうち少なくとも１つが付与されることにより作成された電子ドキュメントを暗号化する暗号化手段と、
前記暗号化手段にて暗号化された電子ドキュメントを、該電子ドキュメントに含まれる通知データの通知先に電子メールにて配信するメール配信手段とを有することを特徴とする電子ドキュメント配信システム。
【請求項４】
請求項３に記載の電子ドキュメント配信システムにおいて、
前記広告情報は、当該広告情報によって決められたクーポン情報が含まれており、
前記クーポン情報付与手段は、前記通知データの通知先に応じて、前記広告情報に含まれたクーポン情報の前記広告情報における掲載領域上に、前記通知データの通知先に応じて設定されたクーポン情報を重ねることを特徴とする電子ドキュメント配信システム。
【発明の詳細な説明】
【０００１】
【発明の属する技術分野】
本発明は、クレジットカードの利用明細書等の電子ドキュメントを配信する電子ドキュメント配信システムに関する。
【０００２】
【従来の技術】
一般に、クレジットカードや口座振替サービスを利用した場合、後日、その利用明細書が利用者に郵送等で送付されている。
【０００３】
このように郵送等で送付される利用明細書は、利用したクレジットカードやサービス毎に送付されてくるため、利用したクレジットカードやサービスの数が多い場合、利用者が利用明細書を整理する手間がかかり、利用明細書の内容を確認することが困難である。
【０００４】
そこで、近年、クレジットカードや口座振替サービスの利用明細書を、インターネットを介して利用者に提供するサービスが考えられている。
【０００５】
クレジットカードや口座振替サービスの利用明細書を、インターネットを介して利用者に提供するサービスにおいては、利用者が、インターネットに接続可能な端末を用いて所定のサイトにアクセスすると、利用者の利用明細書が掲載された情報画面がインターネットを介して利用者の端末に提供されることになる。
【０００６】
また、近年においては、上述したような利用明細書を、配信用電子文書フォーマットであるＰＤＦ（Portable Document Format）形式に変換して、インターネットを介して利用者に提供する技術が考えられている（例えば、特許文献１参照。）。
【０００７】
利用明細書をＰＤＦ形式に変換して提供する場合は、利用明細書が印刷物として印刷された場合の形態と同一の形態で、利用明細書をインターネットを介して提供することができる。
【０００８】
【特許文献１】
特開２００２−８２９５１号公報
【０００９】
【発明が解決しようとする課題】
しかしながら、上述したような、利用明細書をインターネットを介して提供するものにおいては、利用明細書を提供する所定のサイトに利用者がアクセスすることによって利用明細書が利用者に提供されることになるため、利用者が所望の利用明細書を取得するためには所定のサイトにアクセスしなければならず、そのための手間がかかってしまうという問題点がある。
【００１０】
また、利用者に送付される利用明細書においては、広告情報が掲載された印刷物が同封されたり、所定のサービスを受けることができるクーポン情報が掲載されたりする場合があるが、上述したように利用明細書をインターネットを介して提供するものにおいては、利用明細書のみ、あるいは同一の広告情報やクーポン情報が提供されることになるため、利用者に応じた広告情報やクーポン情報を提供することができないという問題点がある。
【００１１】
本発明は、上述したような従来の技術が有する問題点に鑑みてなされたものであって、利用者に手間をかけさせずに、かつ、利用明細書等の電子ドキュメントとともに利用者に応じた情報を提供することができる電子ドキュメント配信システムを提供すること目的とする。
【００１２】
【課題を解決するための手段】
上記目的を達成するために本発明は、
通信網に接続可能な端末に前記通信網を介して通知データを含む電子ドキュメントを配信する電子ドキュメント配信システムであって、
前記通知データに、該通知データの通知先に応じて設定された、情報画面へのアクセス情報、広告情報及びクーポン情報のうち少なくとも１つを付与することにより前記電子ドキュメントを作成し、作成した電子ドキュメントを暗号化し、暗号化した電子ドキュメントを、該電子ドキュメントに含まれる通知データの通知先に電子メールにて配信することを特徴とする。
【００１３】
また、前記電子ドキュメントは、ＰＤＦ形式の電子ドキュメントであることを特徴とする。
【００１４】
また、前記通知データを、前記通知データが登録されたデータベースから、当該通知データの通知先毎に検索する帳票データ検索手段と、
前記帳票データ検索手段にて検索された通知データに、該通知データの通知先に応じて前記情報画面へのアクセス情報が設定された場合に該アクセス情報を付与するアクセス情報付与手段と、
前記帳票データ検索手段にて検索された通知データに、該通知データの通知先に応じて前記広告情報が設定された場合に該広告情報を付与する広告情報付与手段と、
前記帳票データ検索手段にて検索された通知データまたは前記広告情報付与手段にて前記通知データに付与された広告情報に、当該通知データの通知先に応じて前記クーポン情報が設定された場合に該クーポン情報を付与するクーポン情報付与手段と、
前記通知データに、前記アクセス情報、前記広告情報及び前記クーポン情報のうち少なくとも１つが付与されることにより作成された電子ドキュメントを暗号化する暗号化手段と、
前記暗号化手段にて暗号化された電子ドキュメントを、該電子ドキュメントに含まれる通知データの通知先に電子メールにて配信するメール配信手段とを有することを特徴とする。
【００１５】
また、前記広告情報は、当該広告情報によって決められたクーポン情報が含まれており、
前記クーポン情報付与手段は、前記通知データの通知先に応じて、前記広告情報に含まれたクーポン情報の前記広告情報における掲載領域上に、前記通知データの通知先に応じて設定されたクーポン情報を重ねることを特徴とする。
【００１６】
（作用）
上記のように構成された本発明においては、通知データを通知先に通知する場合、通知すべき通知データに、通知データの通知先に応じて設定された、情報画面へのアクセス情報、広告情報及びクーポン情報のうち少なくとも１つが付与されることにより電子ドキュメントが作成され、作成された電子ドキュメントが暗号化され、暗号化された電子ドキュメントが、電子ドキュメントに含まれる通知データの通知先に電子メールにて配信される。
【００１７】
このように、通知データが、通知データの通知先に応じて設定された、情報画面へのアクセス情報、広告情報及びクーポン情報とともに、通知先に電子メールにて配信されるので、通知先において手間がかかることなく、かつ、通知データとともに通知先に応じた情報が提供されることになる。
【００１８】
【発明の実施の形態】
以下に、本発明の実施の形態について図面を参照して説明する。
【００１９】
図１は、本発明の電子ドキュメント配信システムの実施の一形態を示す図である。
【００２０】
本形態は図１に示すように、ネットワーク５０に接続可能に構成され、配信リストデータ２１、インデックスデータ２２、帳票データベース２３、ＵＲＬリストデータ２４、広告情報データベース２５及びクーポン情報データベース２６を参照して通知データとなる帳票データを含む電子ドキュメントを作成し、作成した電子ドキュメントを電子メールに添付して、ネットワーク５０に接続可能に構成された端末４０−１〜４０−ｎに配信するものであって、配信リストデータ２１を取り込む配信リスト取込部１１と、インデックスデータ２２を参照し、帳票データベース２３の中から配信すべき帳票データを検索する帳票データ検索部１２と、配信リスト取込部１１にて取り込まれた配信リストデータを参照し、電子ドキュメントの配信先毎に帳票データに付与するアクセス情報であるＵＲＬ情報をＵＲＬリストデータ２４から検索し、検索したＵＲＬ情報を帳票データに貼り付けるアクセス情報付与手段であるＵＲＬ情報付与部１３と、配信リスト取込部１１にて取り込まれた配信リストデータを参照し、電子ドキュメントの配信先毎に帳票データに付与する広告情報を広告情報データベース２５から検索し、検索した広告情報を帳票データに差し込む広告情報付与部１４と、配信リスト取込部１１にて取り込まれた配信リストデータを参照し、電子ドキュメントの配信先毎に帳票データに付与するクーポン情報をクーポン情報データベース２６から検索し、検索したクーポン情報を帳票データ、あるいは帳票データに差し込まれた広告情報に組み込むクーポン情報付与部１５と、配信リスト取込部１１にて取り込まれた配信リストデータを参照し、帳票データに、ＵＲＬ情報、広告情報及びクーポン情報が付与されてなる電子ドキュメントを、配信リストデータにて設定されたパスワードを用いて暗号化する暗号化部１６と、配信リスト取込部１１にて取り込まれた配信リストデータを参照し、暗号化部１６にて暗号化された電子ドキュメントが添付された電子メールを作成し、作成した電子メールを、端末４０−１〜４０−ｎのうち帳票データの配信先となる端末にメールサーバ３０を介して配信するメール配信部１７とから構成されている。
【００２１】
以下に、上記のように構成された電子ドキュメント配信システムにおける電子ドキュメントの配信処理について説明する。
【００２２】
図２は、図１に示した電子ドキュメント配信システムにおける電子ドキュメントの配信処理を説明するためのフローチャートである。
【００２３】
配信先に配信される帳票データは、印刷データとして作成された後、ＰＤＦ形式に変換されて帳票データベース２３に登録されている。その際、帳票データベース２３に登録された帳票データを検索するためにインデックスデータ２２が設定されている。
【００２４】
図３は、図１に示したインデックスデータ２２の構造の一例を示す図である。
【００２５】
図３に示すように、本形態におけるインデックスデータ２２は、帳票データベース２３に登録された帳票データの配信先を識別するためのユニークキー１０１と、帳票データが登録されたファイル名１０２と、ファイル名１０２にて指定されるファイル内における帳票データのスタートページ１０３と、帳票データのページ数１０４とが互いに対応づけられた構造となっている。
【００２６】
帳票データを配信する場合は、まず、配信リスト取込部１１において、配信リストデータ２１が取り込まれるとともに、帳票データ検索部１２において、インデックスデータ２２が参照され、帳票データの配信先を識別するためのユニークキー１０１に対応づけられたファイル名１０２、スタートページ１０３及びページ数１０４が認識され、認識された情報に基づいて、帳票データベース２３の中から、ユニークキー１０１に対応する帳票データが検索される（ステップＳ１）。
【００２７】
図４は、図１に示した配信リストデータ２１の構造の一例を示す図である。
【００２８】
図４に示すように、本形態における配信リストデータ２１においては、配信先を識別するためのユニークキー１０１と、配信先のメールアドレス１０５と、ユニークキー１０１によって識別される配信先に配信される帳票データに付与されるＵＲＬ情報を識別可能なＵＲＬＩＤ１０６と、ユニークキー１０１によって識別される配信先に配信される帳票データに付与される広告情報を識別可能な広告ＩＤ１０７と、ユニークキー１０１によって識別される配信先に配信される帳票データに付与されるクーポン情報を識別可能なクーポンＩＤ１０８と、ユニークキー１０１によって識別される配信先毎に予め決められ、該配信先に配信される帳票データを含む電子ドキュメントを閲覧するためのパスワード１０９とが、互いに対応づけられた構造となっている。
【００２９】
ここで、帳票データに付与されるＵＲＬ情報、広告情報及びクーポン情報としては、帳票データの配信先となる利用者にとって有効な情報をもたらすものに設定することが考えられ、予めユニークキー１０１と対応づけられて登録されている。例えば、ユニークキー１０１によって識別される配信先となる利用者の年齢、性別、住所、嗜好情報、あるいは過去の利用履歴等を用いて設定される。そのため、ＵＲＬＩＤ１０６、広告ＩＤ１０７及びクーポンＩＤ１０８においては、それぞれ１つのユニークキー１０１に対して複数対応づけられている場合もある。
【００３０】
次に、ＵＲＬ情報付与部１３において、配信リスト取込部１１にて取り込まれた配信リストデータが参照され、帳票データ検索部１２にて帳票データベース２３から検索された帳票データに付与されるＵＲＬ情報がＵＲＬリストデータ２４から検索され（ステップＳ２）、検索されたＵＲＬ情報が帳票データに貼り付けられる（ステップＳ３）。ここで、帳票データに対するＵＲＬ情報の貼り付け位置やＵＲＬ情報の表示形態等においては、ＵＲＬ情報付与部１３にて適宜設定することができる。また、帳票データ検索部１２にて検索された帳票データが複数ページに渡る場合に全てのページにＵＲＬ情報を貼り付けるか、あるいは特定のページにＵＲＬ情報を貼り付けるか等についても、ＵＲＬ情報付与部１３にて適宜設定することができる。
【００３１】
図５は、図１に示したＵＲＬリストデータ２４の構造の一例を示す図である。
【００３２】
図５に示すように、ＵＲＬリストデータ２４は、所定の情報画面にアクセス可能なＵＲＬ情報１１０が、ＵＲＬ情報１１０を識別可能なＵＲＬＩＤ１０６と対応づけられた構造となっている。
【００３３】
そこで、ＵＲＬ情報付与部１３においては、まず、配信リスト取込部１１にて取り込まれた配信リストデータが参照され、帳票データ検索部１２にて帳票データベース２３から検索された帳票データの配信先を識別可能なユニークキー１０１に対応づけられたＵＲＬＩＤ１０６が認識され、その後、ＵＲＬリストデータ２４から、認識されたＵＲＬＩＤ１０６によって識別されるＵＲＬ情報１１０が検索される。また、ＵＲＬ情報付与部１３において帳票データにＵＲＬ情報を貼り付ける際に、配信先を特定可能な情報をＵＲＬ情報に付与しておき、これを帳票データに付与することも考えられ、その場合、このＵＲＬ情報を用いてアクセスが行われた場合にアクセス元を特定することができる。
【００３４】
次に、広告情報付与部１４において、配信リスト取込部１１にて取り込まれた配信リストデータが参照され、帳票データ検索部１２にて帳票データベース２３から検索された帳票データに付与される広告情報が広告情報データベース２５から検索され（ステップＳ４）、検索された広告情報が帳票データに差し込まれる（ステップＳ５）。なお、広告情報データベース２５には、帳票データに差し込まれる広告情報が印刷データとして作成された後、ＰＤＦ形式に変換されて登録されている。また、帳票データに対する広告情報の差し込み位置においては、広告情報付与部１４にて適宜設定することができる。
【００３５】
図６は、図１に示した広告情報データベース２５に登録された広告情報を検索するためのデータリストの構造の一例を示す図である。
【００３６】
本形態においては、広告情報データベース２５に登録された広告情報を検索する際に、広告情報付与部１４において、図６に示すような、広告情報データベース２５に登録された広告情報を識別可能な広告ＩＤ１０７が、広告情報データベース２５にて広告情報が登録されているファイル名１１１と対応づけられたデータリストが参照される。さらに、このデータリストにおいては、クーポン情報付与部１５にて広告情報にクーポン情報が付与される場合に広告情報のどの領域にクーポン情報を付与するのかを示すクーポン領域座標１１３が広告ＩＤ１０７と対応づけられている。
【００３７】
広告情報付与部１４においては、まず、配信リスト取込部１１にて取り込まれた配信リストデータが参照され、帳票データ検索部１２にて帳票データベース２３から検索された帳票データの配信先を識別可能なユニークキー１０１に対応づけられた広告ＩＤ１０７が認識され、次に、その広告ＩＤ１０７に対応づけられたファイル名１１１が認識され、その後、広告情報データベース２５から、認識されたファイル名１１１によって識別される広告情報が検索される。
【００３８】
次に、クーポン情報付与部１５において、配信リスト取込部１１にて取り込まれた配信リストデータが参照され、帳票データ検索部１２にて帳票データベース２３から検索された帳票データに付与されるクーポン情報がクーポン情報データベース２６から検索され（ステップＳ６）、検索されたクーポン情報が、帳票データ検索部１２にて帳票データベース２３から検索された帳票データあるいは、広告情報付与部１４にて帳票データに付与された広告情報に付与される（ステップＳ７）。なお、クーポン情報データベース２６には、帳票データあるいは広告情報に付与されるクーポン情報が印刷データとして作成された後、ＰＤＦ形式に変換されて登録されている。また、広告情報付与部１４にて帳票データに付与された広告情報にクーポン情報データベース２６から検索されたクーポン情報が付与される場合は、図６に示したデータリストに含まれるクーポン領域座標１１３によって指定される領域にクーポン情報が付与されることになる。
【００３９】
図７は、図１に示したクーポン情報データベース２６に登録されたクーポン情報を検索するためのデータリストの構造の一例を示す図である。
【００４０】
本形態においては、クーポン情報データベース２６に登録されたクーポン情報を検索する際に、クーポン情報付与部１５において、図７に示すような、クーポン情報データベース２６に登録されたクーポン情報を識別可能なクーポンＩＤ１０８が、クーポン情報データベース２６にてクーポン情報が登録されているファイル名１１２と対応づけられたデータリストが参照される。
【００４１】
クーポン情報付与部１５においては、まず、配信リスト取込部１１にて取り込まれた配信リストデータが参照され、帳票データ検索部１２にて帳票データベース２３から検索された帳票データの配信先を識別可能なユニークキー１０１に対応づけられたクーポンＩＤ１０８が認識され、次に、そのクーポンＩＤ１０８に対応づけられたファイル名１１２が認識され、その後、クーポン情報データベース２６から、認識されたファイル名１１２によって識別されるクーポン情報が検索される。
【００４２】
ここで、クーポン情報付与部１５における帳票データあるいは広告情報に対するクーポン情報の付与処理について詳細に説明する。
【００４３】
図８は、図１に示したクーポン情報付与部１５における帳票データあるいは広告情報に対するクーポン情報の付与処理を説明するための図であり、広告情報に対するクーポン情報の付与処理を示す。
【００４４】
広告情報付与部１４にて広告情報データベース２５から検索された広告情報１には、クーポン情報付与部１５にてクーポン情報データベース２６から検索されたクーポン情報４が貼り付けられるクーポン領域２が設けられている。このクーポン領域２においては、広告情報１の一部としてのクーポン情報３が掲載されており、広告情報１にクーポン情報４が重なるように貼り付けられる場合は、広告情報１のクーポン領域２にクーポン情報４が掲載されることになるため、クーポン情報３が視認不可能となり、また、広告情報１にクーポン情報４が貼り付けられない場合は、広告情報１上においては、クーポン情報３が視認可能となる。
【００４５】
このような広告情報１上におけるクーポン情報４の貼り付けにおいては、配信リスト取込部１１にて取り込まれた配信リストデータ２１に基づいて設定され、また、広告情報１上におけるクーポン情報４の貼り付け位置は、広告情報データベース２５に登録された広告情報毎にそれぞれ設定されている。
【００４６】
次に、暗号化部１６において、配信リスト取込部１１にて取り込まれた配信リストデータが参照され、帳票データに、ＵＲＬ情報、広告情報及びクーポン情報が付与されてなる電子ドキュメントが、配信リストデータにて設定されたパスワード１０９を用いて暗号化される（ステップＳ８）。
【００４７】
その後、メール配信部１７において、配信リスト取込部１１にて取り込まれた配信リストデータが参照され、配信リストデータにて設定された配信先のメールアドレス１０５が宛先とされ、暗号化部１６にて暗号化された電子ドキュメントが添付された電子メールが作成され、作成した電子メールが、端末４０−１〜４０−ｎのうち、メールアドレスによって特定される端末にメールサーバ３０及びネットワーク５０を介して配信される（ステップＳ９）。
【００４８】
なお、本形態においては、帳票データ検索部１２にて帳票データベース２３から検索された帳票データに、ＵＲＬリストデータ２４から検索されたＵＲＬ情報がＵＲＬ情報付与部１３にて付与され、また、広告情報データベース２５から検索された広告情報が広告情報付与部１４にて付与され、また、クーポン情報データベース２６から検索されたクーポン情報がクーポン情報付与部１５にて付与されているが、帳票データ検索部１２にて帳票データベース２３から検索された帳票データに、ＵＲＬリストデータ２４から検索されたＵＲＬ情報、広告情報データベース２５から検索された広告情報、クーポン情報データベース２６から検索されたクーポン情報の全ての情報が付与されずに、これらの情報のうち少なくとも１つが付与される構成とすることも考えられる。
【００４９】
【発明の効果】
以上説明したように本発明においては、通信網に接続可能な端末に通信網を介して通知データを含む電子ドキュメントを配信する電子ドキュメント配信システムであって、通知データに、該通知データの通知先に応じて設定された、情報画面へのアクセス情報、広告情報及びクーポン情報のうち少なくとも１つを付与することにより電子ドキュメントを作成し、作成した電子ドキュメントを暗号化し、暗号化した電子ドキュメントを、該電子ドキュメントに含まれる通知データの通知先に電子メールにて配信する構成としたため、通知データが、通知データの通知先に応じて設定された、情報画面へのアクセス情報、広告情報及びクーポン情報とともに、通知先に電子メールにて配信されることになり、それにより、通知先に手間をかけさせることなく、かつ、通知データとともに通知先に応じた情報を提供することができる。
【図面の簡単な説明】
【図１】本発明の電子ドキュメント配信システムの実施の一形態を示す図である。
【図２】図１に示した電子ドキュメント配信システムにおける電子ドキュメントの配信処理を説明するためのフローチャートである。
【図３】図１に示したインデックスデータの構造の一例を示す図である。
【図４】図１に示した配信リストデータの構造の一例を示す図である。
【図５】図１に示したＵＲＬリストデータの構造の一例を示す図である。
【図６】図１に示した広告情報データベースに登録された広告情報を検索するためのデータリストの構造の一例を示す図である。
【図７】図１に示したクーポン情報データベースに登録されたクーポン情報を検索するためのデータリストの構造の一例を示す図である。
【図８】図１に示したクーポン情報付与部１５における帳票データあるいは広告情報に対するクーポン情報の付与処理を説明するための図である。
【符号の説明】
１    広告情報
２    クーポン領域
３，４    クーポン情報
１０    電子ドキュメント配信システム
１１    配信リスト取込部
１２    帳票データ検索部
１３    ＵＲＬ情報付与部
１４    広告情報付与部
１５    クーポン情報付与部
１６    暗号化部
１７    メール配信部
２１    配信リストデータ
２２    インデックスデータ
２３    帳票データベース
２４    ＵＲＬリストデータ
２５    広告情報データベース
２６    クーポン情報データベース
３０    メールサーバ
４０−１〜４０−ｎ    端末
５０    インターネット
１０１    ユニークキー
１０２，１１１，１１２    ファイル名
１０３    スタートページ
１０４    ページ数
１０５    メールアドレス
１０６    ＵＲＬＩＤ
１０７    広告ＩＤ
１０８    クーポンＩＤ
１０９    パスワード
１１０    ＵＲＬ情報
１１３    クーポン領域座標
【図１】
2004213055.tif 000003
【図２】
2004213055.tif 000004
【図３】
2004213055.tif 000005
【図４】
2004213055.tif 000006
【図５】
2004213055.tif 000007
【図６】
2004213055.tif 000008
【図７】
2004213055.tif 000009
【図８】
2004213055.tif 000010